(57)【要約】【課題】使い捨て吸収性物品を包装する包装資材の種類を少なくすることができ、包装資材の製造・管理コストを低減することが可能な包装体を提供する。【解決手段】使い捨て吸収性物品５０と、複数の使い捨て吸収性物品５０を一括包装する一括包装フィルム５２とを備え、使い捨て吸収性物品５０は、文字、図形及び記号のうちの少なくとも一つの表示５４が描かれるとともに、表示５４が、一括包装フィルム５２を通して視認可能な状態で一括包装されている包装体１。【選択図】図１
2008239196.tif 000002
【特許請求の範囲】
【請求項１】
使い捨て吸収性物品と、複数の前記使い捨て吸収性物品を一括包装する一括包装フィルムとを備え、
前記使い捨て吸収性物品は、文字、図形及び記号のうちの少なくとも一つの表示が描かれるとともに、前記表示が、前記一括包装フィルムを通して視認可能な状態で一括包装されている包装体。
【請求項２】
前記使い捨て吸収性物品が使い捨ておむつであり、
前記使い捨ておむつは、吸収体と、前記吸収体の表面を被覆するように配置され、少なくとも一部が液透過性材料からなるトップシートと、前記吸収体の裏面を被覆するように配置され、液不透過性材料からなるバックシートとを備えたものであり、
前記表示は、前記使い捨ておむつの前記バックシート側の面に描かれており、
前記使い捨ておむつの前記バックシート側の面のうち少なくとも前記表示が描かれた部分が、前記一括包装フィルムに当接するように、前記使い捨ておむつが一括包装されている請求項１に記載の包装体。
【請求項３】
使い捨て吸収性物品と、前記使い捨て吸収性物品を個別包装する個別包装フィルムと、前記使い捨て吸収性物品が前記個別包装フィルムによって個別包装された複数の個別包装体を一括包装する一括包装フィルムとを備え、
前記個別包装体は、文字、図形及び記号のうちの少なくとも一つの表示が描かれるとともに、前記表示が、前記一括包装フィルムを通して視認可能な状態で一括包装されている包装体。
【請求項４】
前記使い捨て吸収性物品が使い捨ておむつであり、
前記使い捨ておむつは、前記個別包装フィルムによって個別包装されて、扁平な個別包装体を構成し、
前記表示は、前記個別包装体の扁平面に描かれており、
前記個別包装体の前記扁平面のうち少なくとも前記表示が描かれた部分が、前記一括包装フィルムに当接するように、前記個別包装体が一括包装されている請求項３に記載の包装体。
【請求項５】
前記一括包装フィルムは、包装体の側面に配置される部分に模様及び色彩のうちの少なくとも一つのデザインが描かれるとともに、前記デザインが描かれた部分の一部に透明窓が形成され、
前記表示が、前記一括包装フィルムの前記透明窓の部分から視認可能な状態で、前記使い捨て吸収物品又は前記個別包装体が一括包装されている請求項１〜４のいずれか一項に記載の包装体。
【請求項６】
使い捨て吸収性物品と、前記使い捨て吸収性物品を個別包装する個別包装フィルムとを備え、
前記使い捨て吸収性物品は、文字、図形及び記号のうちの少なくとも一つの表示が描かれるとともに、前記表示が、前記個別包装フィルムを通して視認可能な状態で個別包装されている包装体。
【請求項７】
前記使い捨て吸収性物品が使い捨ておむつであり、
前記使い捨ておむつは、吸収体と、前記吸収体の表面を被覆するように配置され、少なくとも一部が液透過性材料からなるトップシートと、前記吸収体の裏面を被覆するように配置され、液不透過性材料からなるバックシートとを備えたものであり、
前記表示は、前記使い捨ておむつの前記バックシート側の面に描かれており、
前記使い捨ておむつの前記バックシート側の面のうち少なくとも前記表示が描かれた部分が、前記個別包装フィルムに当接するように、前記使い捨ておむつが個別包装されている請求項６に記載の包装体。
【請求項８】
前記表示が、前記使い捨て吸収性物品の吸収能力に関する情報を表示するものである請求項１〜７のいずれか一項に記載の包装体。
【請求項９】
前記表示が、前記使い捨て吸収性物品の吸収回数及び吸収量のうちの少なくとも一つに関する情報を表示するものである請求項１〜７のいずれか一項に記載の包装体。
【発明の詳細な説明】
【技術分野】
【０００１】
本発明は、例えば、使い捨ておむつ、使い捨て尿パッド、生理用ナプキン、軽失禁パッド等をはじめとする使い捨て吸収性物品が包装された包装体に関するものである。
【背景技術】
【０００２】
一般に、使い捨ておむつ、使い捨て尿パッド、生理用ナプキン、軽失禁パッド等をはじめとする使い捨て吸収性物品については、包装フィルムによって包装された包装体の形で市販されている（例えば、特許文献１及び２参照）。
【０００３】
そして、前記のような包装体を構成する包装フィルムには、意匠的効果・宣伝的効果を発揮させることを目的として、ブランド名や商品名のデザインロゴ、キャラクターデザイン等のデザインが施されることが多い。また、包装フィルムに使い捨て吸収性物品に関する情報（例えば、サイズや使用対象者等）を表示することも行われている。
【０００４】
【特許文献１】特開平１１−９１７９７号公報
【特許文献２】実開平７−２４７６４号公報
【発明の開示】
【発明が解決しようとする課題】
【０００５】
しかしながら、近年、吸収性物品の高機能化、多様化に伴って、前記のような使い捨て吸収性物品に関する情報は、情報量が増大し、かつ、その内容も複雑化している。この状況は、使い捨て吸収性物品を包装する包装資材の種類を著しく増加させることになり、包装資材の製造・管理コストの飛躍的な増大に繋がっている。
【０００６】
本発明は、このような従来技術の課題を解決するためになされたものであって、使い捨て吸収性物品を包装する包装資材の種類を少なくすることができ、包装資材の製造・管理コストを低減することが可能な包装体を提供するものである。
【課題を解決するための手段】
【０００７】
本発明者は、前記のような従来技術の課題を解決するために鋭意検討した結果、使い捨て吸収性物品に表示を施すとともに、その表示を包装フィルムを通して視認可能な状態で包装し、使い捨て吸収性物品の表示を包装体全体の表示としても利用することによって、上記課題が解決されることに想到し、本発明を完成させた。具体的には、本発明により、以下の包装体が提供される。
【０００８】
［１］  使い捨て吸収性物品と、複数の前記使い捨て吸収性物品を一括包装する一括包装フィルムとを備え、前記使い捨て吸収性物品は、文字、図形及び記号のうちの少なくとも一つの表示が描かれるとともに、前記表示が、前記一括包装フィルムを通して視認可能な状態で一括包装されている包装体。
【０００９】
［２］  前記使い捨て吸収性物品が使い捨ておむつであり、前記使い捨ておむつは、吸収体と、前記吸収体の表面を被覆するように配置され、少なくとも一部が液透過性材料からなるトップシートと、前記吸収体の裏面を被覆するように配置され、液不透過性材料からなるバックシートとを備えたものであり、前記表示は、前記使い捨ておむつの前記バックシート側の面に描かれており、前記使い捨ておむつの前記バックシート側の面のうち少なくとも前記表示が描かれた部分が、前記一括包装フィルムに当接するように、前記使い捨ておむつが一括包装されている前記［１］に記載の包装体。
【００１０】
［３］  使い捨て吸収性物品と、前記使い捨て吸収性物品を個別包装する個別包装フィルムと、前記使い捨て吸収性物品が前記個別包装フィルムによって個別包装された複数の個別包装体を一括包装する一括包装フィルムとを備え、前記個別包装体は、文字、図形及び記号のうちの少なくとも一つの表示が描かれるとともに、前記表示が、前記一括包装フィルムを通して視認可能な状態で一括包装されている包装体。
【００１１】
［４］  前記使い捨て吸収性物品が使い捨ておむつであり、前記使い捨ておむつは、前記個別包装フィルムによって個別包装されて、扁平な個別包装体を構成し、前記表示は、前記個別包装体の扁平面に描かれており、前記個別包装体の前記扁平面のうち少なくとも前記表示が描かれた部分が、前記一括包装フィルムに当接するように、前記個別包装体が一括包装されている前記［３］に記載の包装体。
【００１２】
［５］  前記一括包装フィルムは、包装体の側面に配置される部分に模様及び色彩のうちの少なくとも一つのデザインが描かれるとともに、前記デザインが描かれた部分の一部に透明窓が形成され、前記表示が、前記一括包装フィルムの前記透明窓の部分から視認可能な状態で、前記使い捨て吸収物品又は前記個別包装体が一括包装されている前記［１］〜［４］のいずれかに記載の包装体。
【００１３】
［６］  使い捨て吸収性物品と、前記使い捨て吸収性物品を個別包装する個別包装フィルムとを備え、前記使い捨て吸収性物品は、文字、図形及び記号のうちの少なくとも一つの表示が描かれるとともに、前記表示が、前記個別包装フィルムを通して視認可能な状態で個別包装されている包装体。
【００１４】
［７］  前記使い捨て吸収性物品が使い捨ておむつであり、前記使い捨ておむつは、吸収体と、前記吸収体の表面を被覆するように配置され、少なくとも一部が液透過性材料からなるトップシートと、前記吸収体の裏面を被覆するように配置され、液不透過性材料からなるバックシートとを備えたものであり、前記表示は、前記使い捨ておむつの前記バックシート側の面に描かれており、前記使い捨ておむつの前記バックシート側の面のうち少なくとも前記表示が描かれた部分が、前記個別包装フィルムに当接するように、前記使い捨ておむつが個別包装されている前記［６］に記載の包装体。
【００１５】
［８］  前記表示が、前記使い捨て吸収性物品の吸収能力に関する情報を表示するものである前記［１］〜［７］のいずれかに記載の包装体。
【００１６】
［９］  前記表示が、前記使い捨て吸収性物品の吸収回数及び吸収量のうちの少なくとも一つに関する情報を表示するものである前記［１］〜［７］のいずれかに記載の包装体。
【発明の効果】
【００１７】
本発明の包装体は、使い捨て吸収性物品を包装する包装資材の種類を少なくすることができ、包装資材の製造・管理コストを低減することが可能である。
【発明を実施するための最良の形態】
【００１８】
以下、本発明の包装体を実施するための最良の形態について、図面を参照しながら具体的に説明する。但し、本発明はその発明特定事項を備える包装体を広く包含するものであり、以下の実施形態に限定されるものではない。
【００１９】
［１］第一の実施形態：
本発明の包装体の第一の実施形態は、例えば、図１に示す包装体１のように、使い捨て吸収性物品５０と、複数の前記使い捨て吸収性物品５０を一括包装する一括包装フィルム５２とを備え、前記使い捨て吸収性物品５０は、文字、図形及び記号のうちの少なくとも一つの表示５４が描かれるとともに、前記表示５４が、前記一括包装フィルム５２を通して視認可能な状態で一括包装されている形態である。
【００２０】
［１−１］使い捨て吸収性物品：
使い捨て吸収性物品は、本発明の包装体の被包装物である。「使い捨て吸収性物品」としては、例えば、使い捨ておむつ、使い捨て尿パッド、生理用ナプキン、軽失禁パッド等を挙げることができる。本発明の包装体は、使い捨ておむつを被包装物とする包装体に特に好適に用いることができる。
【００２１】
例えば、図１に示す包装体１は、被包装物となる使い捨て吸収性物品５０として、使い捨ておむつ１００を用いた例である。この使い捨ておむつ１００は、吸収体２２と、前記吸収体２２の表面を被覆するように配置され、少なくとも一部が液透過性材料からなるトップシート１８と、前記吸収体２２の裏面を被覆するように配置され、液不透過性材料からなるバックシート２０とを備え、前身頃２、股下部４及び後身頃６の各部から構成されており、前記後身頃６の左右の各側縁から延出するように配置され、前記前身頃２と前記後身頃６とを固定するための止着テープ１０を更に備えたテープ型の使い捨ておむつである。
【００２２】
本発明の包装体に用いられる使い捨て吸収性物品には、文字、図形及び記号のうちの少なくとも一つの表示が描かれている。この表示は、専ら意匠的効果・宣伝的効果を目的とするデザイン等であってもよいが、何らかの情報を表示するものであることが好ましく、中でも、使い捨て吸収性物品に関する情報を表示するものであることが特に好ましい。
【００２３】
「使い捨て吸収性物品に関する情報」としては、例えば、使い捨て吸収性物品のサイズ（Ｓ、Ｍ、Ｌ等）、使用対象者（男児用、女児用、成人用等）、使用目的（夜用、昼用等）、吸収能力（吸収回数、吸収量等）、使用方法、使用期限等を挙げることができる。
【００２４】
本出願人も、吸収性物品の種類を表示する目印が表示された吸収性物品を既に開示している（例えば、特開２００５−１７７１６０号公報参照）。このような吸収性物品は、吸収性物品自体に情報が表示されているため、介護現場のように、機能やサイズが異なる吸収性物品が混在した状態で、多数保管されるような場合でも、その識別を容易にし、装着作業を迅速に行うことができる点において優れたものである。本発明の包装体に用いられる使い捨て吸収性物品には、このような情報を表示することも可能である。
【００２５】
これらの情報の中でも、前記使い捨て吸収性物品の吸収能力に関する情報を表示するものが好ましく、前記使い捨て吸収性物品の吸収回数及び吸収量のうちの少なくとも一つに関する情報を表示するものが更に好ましい。
【００２６】
被包装物となる前記使い捨て吸収性物品が使い捨ておむつであるときは、前記表示は、前記使い捨ておむつの前記バックシート側の面に描かれていることが好ましい。前記表示がバックシート側の面に描かれていることによって、使い捨ておむつを着用させる際、或いは使い捨ておむつを着用した後にも、前記表示を容易に視認することが可能となる。
【００２７】
図２は、図１に示す包装体１に被包装物として挿入されている使い捨て吸収性物品５０、即ち、テープ型の使い捨ておむつ１００を展開し、バックシート２０側から見た状態を示す、一部切り欠き平面図である。この使い捨ておむつ１００は、使い捨ておむつ１００のバックシート２０側の面、より具体的には、バックシート２０の表面であって、後身頃６側の端縁近傍、更に具体的には、ウエスト周り伸縮材４２の下側であって、左右の止着テープ１０，１０の間の領域に、使い捨て吸収性物品５０（使い捨ておむつ１００）の吸収能力に関する情報が表示されている（表示５４）。
【００２８】
図２に示す使い捨て吸収性物品５０（使い捨ておむつ１００）の表示５４は、使い捨て吸収性物品５０の吸収能力に関する情報を表示するものであり、使い捨て吸収性物品の吸収回数及び吸収量の双方に関する情報を表示するものである。具体的には、吸収回数に関する情報として、表示５４の上部に、尿の吸収回数の目安を示す「３」という数字が描かれるとともに、表示５４の下部に、吸収回数の目安を示す「３個の水滴マーク」が描かれている。更に、吸収量に関する情報として、表示５４の下部に、前記水滴マークの各々に、１回当たりの尿の吸収量の目安を示す「１５０（ｍｌ）」の数字が描かれている。
【００２９】
但し、表示の形態は、図１及び図２に示すような形態に限定されるものではない。図３Ａ〜図３Ｃに、吸収能力に関する情報を表示する表示５４のバリエーションを例示する。図３Ａ〜図３Ｃに示す表示５４はいずれも枠線５６の内側領域５８に、尿の吸収回数の目安を示す「３」という数字６０が描かれるとともに、１回当たりの尿の吸収量の目安を示す「１００（ｍｌ）」の数字６２が描かれているものである。
【００３０】
図３Ａに示す表示５４は、尿の吸収回数の目安を示す「３」という数字６０の他に、「吸収回数の目安」、「（３）回分」の文字６４が描かれている。そして、吸収回数の目安を示す吹き出し状のマーク６６が３個描かれ、そのマーク６６の内部に、１回当たりの尿の吸収量の目安を示す「１００（ｍｌ）」の数字６２が描かれているものである。
【００３１】
図３Ｂに示す表示５４は、吸収回数の目安を示す円筒状のマーク６６が３個描かれ、そのマーク６６の内部に、１回当たりの尿の吸収量の目安を示す「１００（ｍｌ）」の数字が描かれているものである。
【００３２】
図３Ｃに示す表示５４は、吸収回数の目安を示すブロック状のマーク６６が１６個描かれ、そのマーク６６の内部に、１回当たりの尿の吸収量の目安を示す「１００（ｍｌ）」の数字が描かれているものである。図３Ｃの表示５４は、ブロック状のマーク６６を段階的に塗りつぶすことによって、吸収体の吸収能力が一回ごとに飽和していく様を表示したものである。
【００３３】
［１−２］一括包装フィルム：
本発明の包装体は、複数の前記使い捨て吸収性物品を一括包装する一括包装フィルムを備えている。「一括包装フィルム」としては、通常、樹脂からなるフィルムが用いられる。樹脂の種類については特に制限はなく、例えば、包装材料に汎用されるポリエチレン製フィルム、ポリプロピレン製フィルムの他、前記フィルムとポリエステル製フィルムとの積層フィルム等を好適に用いることができる。これらのフィルムには、フィルムの遮蔽性を向上させ、被包装物である使い捨て吸収性物品の光による劣化を防止することを目的として、酸化チタンを含有せしめたり、フィルム表面に印刷を施したりしてもよい。フィルムの厚さは、被包装物となる使い捨て吸収性物品の種類や重量により異なるが、４０〜１１０μｍとすることが好ましく、６０〜９０μｍとすることが更に好ましい。
【００３４】
「一括包装フィルム」は、被包装物である使い捨て吸収性物品を内包し得る内部空間が形成された袋状に構成して用いられる。その形態について特に制限はなく、従来公知の包装体に用いられる様々な形態を採用することができる。「一括包装フィルム」は、ガセットチューブシール袋、ループ袋、サイドウエルダー袋、合掌貼り袋、三方シール袋、スタンディングパウチ等の形態とすることが好ましく、中でも、ガセットチューブシール袋、ループバックの形態とすることが更に好ましい。
【００３５】
ガセットチューブは、例えば、図４に示すガセットチューブ８０のように、側縁８２に襠部８４が形成され、端縁８６が開口されたチューブ状の包装フィルムであり、一方の端縁８６ａ側の開口をヒートシール等の方法によって封着し、他方の端縁８６ｂ側が開放された袋状とし、端縁８６ｂ側の開口から、被包装物となる使い捨て吸収性物品５０（例えば、折り畳まれた使い捨ておむつの束等）を挿入した後、端縁８６ｂ側の開口をヒートシール等の方法によって封着して、端縁８６ａ側と同様に封着部を形成することにより、ガセットチューブシール袋とすることができ、包装体を製造することができる。
【００３６】
ガセットチューブは、樹脂製のフィルム状材料から構成される。フィルム状材料を構成する樹脂の種類については特に制限はなく、通常、包装袋に使用されるポリエチレン、ポリプロピレン等の樹脂を用いることができる。中でも、延伸性や強度の面で、ポリエチレン製フィルムが好ましく、袋の不透明度を上げるために、酸化チタンを含有させたポリエチレン製フィルムが更に好ましい。フィルム状材料の厚さは、被包装体の種類や重量によっても異なるが、５０〜１１０μｍとすることが好ましく、６５〜９０μｍとすることが更に好ましい。
【００３７】
襠部とは、被包装物を袋に詰めた際に広がるように構成された襞状の部分を意味する。通常は、山折り線、谷折り線、山折り線の順で折り目を形成し、襞状とする構成が一般的である。山折り線と谷折り線の間隔を調整することによって、形成される襠部の幅を調整することができる。襠部の幅は、被包装物の形状等に応じて適宜選択することができる。例えば、子供用使い捨ておむつを包装するための包装体の場合は、１００〜２６０ｍｍ程度とすればよいし、大人用使い捨ておむつを包装するための包装体の場合は、１２０〜３２０ｍｍ程度とすればよい。
【００３８】
ループ袋も基本的にはガセットチューブ袋と同様の構成であるが、別途、帯状の把手（ループ）が付設されたものである。ループ袋は、例えば、ガセットチューブの一方の端縁側の開口をヒートシール等の方法によって封着し、帯状の把手（ループ）を付設した後、他方の端縁側が開放された袋状とし、その他方の端縁側の開口から、被包装物となる使い捨て吸収性物品を挿入した後、他方の端縁側の開口をヒートシール等の方法によって封着して、一方の端縁側と同様に封着部を形成することにより、ループ袋とすることができ、包装体を製造することができる。帯状の把手（ループ）の材料には、通常、ポリエチレン、ポリプロピレン等の樹脂からなる帯状体が用いられる。
【００３９】
サイドウエルダー袋は、略矩形状のフィルムが二つ折りにして重ね合わされ、前記フィルムの重ね合わされた側縁及び前記フィルムの両端縁の三つの縁部が「コの字型」を描くように接合された構造の袋である。合掌貼り袋は、例えば、ポテトチップスの袋等に利用される形態であり、略矩形状のフィルムの両側縁を、フィルムの内面同士が当接するように接合して筒状とし、前記接合部が袋の中央部に位置するように、前記フィルムの両端縁が接合された構造の袋である。この合掌貼り袋は、前記接合部が袋の中央部に位置するため、フィルム同士の接合部はサイドウエルダー袋のような「コの字型」ではなく、「Ｈ字型」に配置される。
【００４０】
三方シール袋は、予め、二枚の矩形状のフィルムが重ね合わせ、その両側縁及び一方の端縁が予め接合されており、被包装物となる使い捨て吸収性物品を挿入した後に、残る一方の端縁を接合させたような構造の袋である。スタンディングパウチは、三方シール袋の一種であるが、底部にマチを設け、被包総物が挿入された際に自立することが可能な袋である。
【００４１】
［１−３］包装形態：
本発明の包装体の第一の実施形態は、前記表示が、前記一括包装フィルムを通して視認可能な状態で一括包装されている形態である。
【００４２】
このように使い捨て吸収性物品の表示を、一括包装フィルムを通して視認可能に構成することによって、使い捨て吸収性物品と同様の表示を、別途、一括包装フィルムに表示する必要がなくなり、包装フィルムへの印刷等に伴う経費、手間、時間等を大幅に節減することができる。従って、包装資材の製造コストを低減することが可能である。
【００４３】
また、使い捨て吸収性物品の表示をそのまま利用するので、包装資材の共通化を図ることができ、包装資材の製造、管理の面でも経費、手間、時間等を大幅に節減することが可能となる。即ち、各使い捨て吸収性物品に固有の情報（例えば、サイズ、使用対象者、使用目的、吸収能力等）については、使い捨て吸収性物品自体に表示し、各使い捨て吸収性物品に共通する表示（例えば、ブランド名、キャラクターデザイン等）等については、一括包装フィルムに表示することによって、使い捨て吸収性物品を包装する包装資材の種類を少なくすることができ、包装資材の製造・管理コストを低減することが可能である。このような効果は、同一又は類似形状でも吸収量のバリエーションの多い使い捨て尿パッドを被包装物とする包装体において、特に有効である。
【００４４】
なお、吸収能力をはじめとする「情報」について「視認可能」とは、単にその表示の存在を認識できるのみならず、情報を読み取り可能な状態となっていることが好ましい。必ずしも表示の全てが視認できる必要はないが、視認できる表示により情報を読み取り、把握可能であることが好ましい。例えば、図３Ａ〜図３Ｃに示す表示５４の場合であれば、尿の吸収回数の目安を示す「３」という数字６０、吸収回数の目安を示すマーク６６、１回当たりの尿の吸収量の目安を示す「１００（ｍｌ）」の数字６２のうちの少なくとも一つの情報が読み取り可能な状態となっていることが好ましい。
【００４５】
情報やデザイン等の表示を「視認可能」とする形態としては、例えば、使い捨て吸収性物品のうち、少なくとも前記表示が描かれた部分が、前記一括包装フィルムに当接するように、使い捨て吸収性物品が一括包装されている形態を挙げることができる。このような形態により、使い捨て吸収性物品に描かれた表示が一括包装フィルムを通して極めて容易に視認することが可能となる。
【００４６】
前記使い捨て吸収性物品が使い捨ておむつであり、前記表示が、前記使い捨ておむつの前記バックシート側の面に描かれている場合には、前記使い捨ておむつの前記バックシート側の面のうち少なくとも前記表示が描かれた部分が、前記一括包装フィルムに当接するように、前記使い捨ておむつが一括包装されていることが望ましい。
【００４７】
例えば、図１に示す包装体１は、使い捨て吸収性物品５０として、使い捨ておむつ１００を包装した包装体の例である。この包装体１は、折り畳まれた状態で積層された使い捨ておむつ１００が更に多段に積み重ねられた状態で包装された包装体であり、使い捨ておむつ１００のバックシート側の表面に描かれた表示５４の全部が一括包装フィルム５２に当接するように、使い捨ておむつ１００が一括包装されている。
【００４８】
また、本発明の包装体においては、前記一括包装フィルムは、包装体の側面に配置される部分に模様及び色彩のうちの少なくとも一つのデザインが描かれるとともに、前記デザインが描かれた部分の一部に透明窓が形成され、前記表示が、前記一括包装フィルムの前記透明窓の部分から視認可能な状態で、前記使い捨て吸収物品又は前記個別包装体が一括包装されていることが好ましい。
【００４９】
前記のような構成により、使い捨て吸収性物品又は個別包装体に描かれた表示が一括包装フィルムに描かれた表示（デザイン、情報等）に阻害されることなく、視認可能となる。例えば、図１に示す包装体１は、包装体の図面右側の側面に透明窓６８が形成されており、使い捨て吸収性物品５０は、その表示５４が透明窓６８の部分に当接されるように配置されている。そして、透明窓６８の部分から表示５４を覗かせることによって、表示５４が一括包装フィルムを通して視認可能な状態とした例である。
【００５０】
［２］第二の実施形態：
本発明の包装体の第二の実施形態は、使い捨て吸収性物品と、前記使い捨て吸収性物品を個別包装する個別包装フィルムと、前記使い捨て吸収性物品が前記個別包装フィルムによって個別包装された複数の個別包装体を一括包装する一括包装フィルムとを備え、前記個別包装体は、文字、図形及び記号のうちの少なくとも一つの表示が描かれるとともに、前記表示が、前記一括包装フィルムを通して視認可能な状態で一括包装されている形態である。
【００５１】
第二の実施形態は、使い捨て吸収性物品が個別包装フィルムによって個別包装されて個別包装体を構成しており、複数の個別包装体が一括包装フィルムによって一括包装されている点が第一の実施形態とは異なる。このような包装形態を採用する場合には、個別包装体に描かれた表示を一括包装フィルムを通して視認可能な状態で一括包装することによって、第一の実施形態と同様の効果を得ることができる。
【００５２】
以下、第一の実施形態と共通する構成については説明を割愛し、第二の実施形態に固有の構成についてのみ説明する。
【００５３】
［２−１］使い捨て吸収性物品：
使い捨て吸収性物品としては、第一の実施形態と同様のものを用いることができる。第二の実施形態においては、使い捨て吸収性物品は、個別包装フィルムに包装されて個別包装体を形成する。
【００５４】
第二の実施形態においては、第一の実施形態において、使い捨て吸収性物品に描かれたのと同様の「表示」が個別包装体に描かれている必要がある。但し、第二の形態においても、第一の形態と同様に、使い捨て吸収性物品に「表示」を描くことも可能である。こうすることにより、個別包装フィルムから使い捨て吸収性物品を取り出した後にも、そのデザインや情報を有効利用することができる。
【００５５】
「表示」の内容も第一の実施形態と同様のものを採用することができる。表示として、前記使い捨て吸収性物品の吸収能力に関する情報を表示するものが好ましく、前記使い捨て吸収性物品の吸収回数及び吸収量のうちの少なくとも一つに関する情報を表示するものが更に好ましい点についても同様である。
【００５６】
［２−２］個別包装フィルム：
個別包装フィルムは、使い捨て吸収性物品を包装し得るフィルムである限り、その形状、材質等について特に制限はない。通常、樹脂からなるフィルムが用いられ、第一の実施形態の「一括包装フィルム」と同様の材質、厚さのフィルムを好適に用いることができる。
【００５７】
「個別包装フィルム」は、被包装物である使い捨て吸収性物品を内包し得る内部空間が形成された袋状に構成して用いられる。その形態について特に制限はないが、個別包装という目的から、必ずしもガセットチューブを用いる必要はなく、先に述べたサイドウエルダー袋、合掌貼り袋、三方シール袋の他、三つ折り個別包装袋等の形態とすることが好ましい。
【００５８】
三つ折り個別包装袋は、例えば、生理用ナプキンに用いられる形態であり、被包装物となる使い捨て吸収性物品とフィルムとを重ねて三つに折りたたみ、フィルムの両側縁をクリンパーで封着した袋である。
【００５９】
使い捨て吸収性物品は、前記個別包装フィルムによって個別包装されて、扁平な個別包装体を構成することが好ましい。扁平な個別包装体とすることで、複数の個別包装体を積層し、更に多段に積み重ねて包装を行うことが容易となる。例えば、使い捨ておむつの場合であれば、折り畳んで平板状とし、平型の袋状に構成された個別包装フィルムで包装すすることで、扁平な個別包装体を構成することができる。
【００６０】
第二の実施形態においては、「表示」は、前記個別包装体の扁平面に描かれていることが好ましい。扁平面に「表示」を描くことにより、包装体とした際に、その表示を一括包装フィルムに容易に当接させることができる。
【００６１】
なお、個別包装フィルムの一部（例えば、扁平面等）に透明窓が形成され、「表示」が、前記個別包装フィルムの前記透明窓の部分から視認可能な状態で、使い捨て吸収性物品が個別包装されていることも好ましい形態の一つである。このような形態は、使い捨て吸収性物品に描かれた「表示」を、個別包装体及び包装体の双方の表示としても利用することができるため好ましい。
【００６２】
［２−３］一括包装フィルム：
一括包装フィルムについては、第一の実施形態と同様の構成を採用することができる。即ち、樹脂からなるフィルム、中でも、ガセットチューブを好適に用いることができる。好ましい材質や厚さについても同様である。
【００６３】
［２−４］包装形態：
本発明の包装体の第二の実施形態は、個別包装体に描かれた表示が、前記一括包装フィルムを通して視認可能な状態で一括包装されている形態である。個別包装体のうち、少なくとも前記表示が描かれた部分が、前記一括包装フィルムに当接するように、個別包装体が一括包装されている形態が好ましく、個別包装体が扁平な個別包装体であり、前記個別包装体の前記扁平面のうち少なくとも前記表示が描かれた部分が、前記一括包装フィルムに当接するように、前記個別包装体が一括包装されていることが更に好ましい。
【００６４】
［３］第三の実施形態：
本発明の包装体の第三の実施形態は、使い捨て吸収性物品と、前記使い捨て吸収性物品を個別包装する個別包装フィルムとを備え、前記使い捨て吸収性物品は、文字、図形及び記号のうちの少なくとも一つの表示が描かれるとともに、前記表示が、前記個別包装フィルムを通して視認可能な状態で個別包装されている形態である。
【００６５】
第三の実施形態は、使い捨て吸収性物品が個別包装フィルムによって個別包装されて個別包装体を構成しているが、この個別包装体が一括包装フィルムによって一括包装されていない点が第二の実施形態とは異なる。このような包装形態を採用する場合には、使い捨て吸収性物品に描かれた表示を個別包装フィルムを通して視認可能な状態で個別包装することによって、第一の実施形態と同様の効果を得ることができる。第三の実施形態は、第一の実施形態や第二の実施形態に準じて、実施することができる。
【００６６】
第三の実施形態においては、前記第一の実施形態、前記第二の実施形態と同様に、使い捨て吸収性物品が使い捨ておむつであり、前記表示は、前記使い捨ておむつの前記バックシート側の面に描かれており、前記使い捨ておむつの前記バックシート側の面のうち少なくとも前記表示が描かれた部分が、前記個別包装フィルムに当接するように、前記使い捨ておむつが個別包装されていることが好ましい。
【００６７】
この場合の個別包装体としては、前記使い捨て吸収性物品が、前記個別包装フィルムによって個別包装されて、扁平な個別包装体を構成していることが好ましい。また、前記個別包装体の扁平面に模様及び色彩のうちの少なくとも一つのデザインが描かれるとともに、前記デザインが描かれた部分の一部に透明窓が形成され、前記使い捨て吸収性物品の前記表示が、前記個別包装フィルムの前記透明窓の部分から視認可能な状態で個別包装されていることが更に好ましい。
【実施例】
【００６８】
以下、本発明の包装体について、図面を参照しながら更に具体的に説明する。但し、本発明の包装体は、以下の実施例に限定されるものではない。
【００６９】
図１に示す包装体１は、本発明の包装体の一の実施形態を示す斜視図である。包装体１は、使い捨て吸収性物品５０と、複数の使い捨て吸収性物品５０を一括包装する一括包装フィルム５２とを備え、使い捨て吸収性物品５０は、文字、図形及び記号のうちの少なくとも一つの表示５４が描かれるとともに、表示５４が、一括包装フィルム５２を通して視認可能な状態で一括包装されている。
【００７０】
また、包装体１に包装されている使い捨て吸収性物品５０は使い捨ておむつ１００である。使い捨ておむつ１００の具体的な形態は、図２に示されるように、吸収体２２と、前記吸収体２２の表面を被覆するように配置され、少なくとも一部が液透過性材料からなるトップシート１８と、前記吸収体２２の裏面を被覆するように配置され、液不透過性材料からなるバックシート２０とを備え、前身頃２、股下部４及び後身頃６の各部から構成されており、前記後身頃６の左右の各側縁から延出するように配置され、前記前身頃２と前記後身頃６とを固定するための止着テープ１０を更に備えたテープ型の使い捨ておむつである。
【００７１】
この使い捨ておむつ１００は、使い捨ておむつ１００のバックシート２０側の面、より具体的には、バックシート２０の表面であって、後身頃６側の端縁近傍、更に具体的には、ウエスト周り伸縮材４２の下側であって、左右の止着テープ１０，１０の間の領域に、使い捨て吸収性物品５０（使い捨ておむつ１００）の吸収能力に関する情報が表示されている（表示５４）。なお、図２の符号１２はフロントパッチ、符号４０は脚周り伸縮材、符号４４はメカニカルファスナー、符号４４ａはフック材、符号４４ｂはループ材を示している。
【００７２】
更に、包装体１を構成する一括包装フィルム５２としては、ガセットチューブが利用されている。ガセットチューブの具体的な形態は、図４に示すガセットチューブ８０のように、側縁８２に襠部８４が形成され、端縁８６が開口されたチューブ状の包装フィルムである。
【００７３】
図１に示す包装体１は、図４に示すような方法により製造することができる。まず、側縁８２に襠部８４が形成されたガセットチューブ８０を用意する。次いで、このガセットチューブ８０の一方の端縁８６ａ側の開口をヒートシールによって封着し、他方の端縁８６ｂ側が開放された袋状とする。封着は、ガセットチューブ８０の一方の端縁８６ａに沿って、直線状の２箇所の封着部７０を形成することにより行う。この２箇所の封着部７０の間がフラップ部７２となる。
【００７４】
更に、フラップ部７２に、把手の形状に沿って、複数の切れ目７４を断続的に配置する。これらの切れ目７４は、所望の曲げ形状を有するカッターで打ち抜くことにより形成することができる。このようなガセットチューブ８０は、複数の切れ目７４の間の不連続部７６を破断することで、把手７８を形成することができる。
【００７５】
最後に、ガセットチューブ８０の端縁８６ｂ側の開口から、被包装物となる使い捨て吸収性物品５０、具体的には、折り畳まれた使い捨ておむつ１００の束を挿入し、端縁８６ｂ側の開口をヒートシールによって封着して、端縁８６ａ側と同様に封着部を形成することにより、図１に示す包装体１を製造することができる。
【００７６】
図１に示す包装体１を構成する際には、使い捨ておむつ１００の表示５４が外面に露出されるような形態で、使い捨ておむつ１００を適当な形状に折り畳み、その折り畳まれた状態の使い捨ておむつ１００を積層し、更にそれを多段に積み重ねた状態として、一括包装フィルムの内部に挿入する。
【００７７】
図１に示す包装体１では、使い捨ておむつ１００のバックシート側の表面に描かれた表示５４の全部が一括包装フィルム５２に当接するように、使い捨ておむつ１００が一括包装されている。そして、一括包装フィルム５２には、図示されないデザインが描かれており、前記デザインが描かれた部分の一部、具体的には、包装体１の図面右側の側面に透明窓６８が形成されている。この透明窓６８を通して、使い捨ておむつ１００の表示５４を視認することができる。
【００７８】
なお、本発明の包装体を構成する一括包装フィルムには、予め、包装体を開封して被包装物である使い捨て吸収性物品を取り出すためのミシン目を形成しておいてもよい。このようなミシン目を形成することにより、比較的簡便に、力を要することなく被包装物である使い捨て吸収性物品を取り出すことができる。ミシン目の形成位置は特に限定されるものではなく、使い捨て吸収性物品の取出しが容易となる位置に形成すればよい。
【産業上の利用可能性】
【００７９】
本発明の包装体は、例えば、使い捨ておむつ、使い捨て尿パッド、生理用ナプキン、軽失禁パッド等をはじめとする使い捨て吸収性物品を包装する包装体として好適に用いることができる。特に、使い捨て吸収性物品のサイズ（Ｓ、Ｍ、Ｌ等）、使用対象者（男児用、女児用、成人用等）、使用目的（夜用、昼用等）、吸収能力（吸収回数、吸収量等）、使用方法、使用期限等の情報が描かれた使い捨て吸収性物品を包装する包装体として特に好適に用いることができる。
【図面の簡単な説明】
【００８０】
【図１】本発明の包装体の一の実施形態を示す斜視図である。
【図２】本発明の包装体を構成する使い捨ておむつの一の実施形態を示す一部切り欠き平面図であり、使い捨ておむつを展開し、バックシート側から見た状態を示す図である。
【図３Ａ】本発明の包装体を構成する使い捨ておむつに描かれる表示の一の実施形態を示す平面図である。
【図３Ｂ】本発明の包装体を構成する使い捨ておむつに描かれる表示の別の実施形態を示す平面図である。
【図３Ｃ】本発明の包装体を構成する使い捨ておむつに描かれる表示の更に別の実施形態を示す平面図である。
【図４】本発明の包装体を製造する工程を示す工程図である。
【符号の説明】
【００８１】
１：包装体、２：前身頃、４：股下部、６：後身頃、１０：止着テープ、１２：フロントパッチ、４０：脚周り伸縮材、４２：ウエスト周り伸縮材、４４：メカニカルファスナー、４４ａ：フック材、４４ｂ：ループ材、５０：使い捨て吸収性物品、５２：一括包装フィルム、５４：表示、５６：枠線、５８：内側領域、６０：数字、６２：数字、６４：文字、６６：マーク、６８：透明窓、７０：封着部、７２：フラップ部、７４：切れ目、７６：不連続部、７８：把手、８０：ガセットチューブ、８２：側縁、８４：襠部、８６，８６ａ，８６ｂ：端縁、１００：使い捨ておむつ。
【図１】
2008239196.tif 000003
【図２】
2008239196.tif 000004
【図３Ａ】
2008239196.tif 000005
【図３Ｂ】
2008239196.tif 000006
【図３Ｃ】
2008239196.tif 000007
【図４】
2008239196.tif 000008